(57)【要約】【課題】体液吸収性着用物品と併用して尿の流れる方向を誘導できるシートの提供。【解決手段】吸尿パッド等の体液吸収性着用物品と併用する尿誘導シート１が、互いに並行して上下方向へ延びる複数条の帯片２からなる尿誘導部３と、帯片２の上端部４どうしをつないで帯片２の幅方向へ延びる連結部６とによって形成される。【選択図】　　　図１
2004121392.tif 000002
【特許請求の範囲】
【請求項１】
互いに平行して上下方向ヘ延びる複数条の帯片からなる尿誘導部と、複数条の前記帯片の上端部どうしをつなぐシート状の連結部とからなり、前記帯片を濡らす尿を前記帯片の前記上端部からその反対端部である下端部へ向かう方向ヘ流れるように誘導することができることを特徴とする尿誘導シート。
【請求項２】
前記帯片が該帯片の幅方向よりも前記上端部から下端部へ向かう長さ方向ヘ前記尿を容易に拡散できるものである請求項１記載のシート。
【請求項３】
前記帯片が繊維の集合体であって、その繊維が前記上下方向ヘ配向している請求項１または２記載のシート。
【請求項４】
前記帯片が疎水性の繊維で形成されている請求項１〜３のいずれかに記載のシート。
【請求項５】
前記帯片が前記疎水性の繊維と親水性の繊維とを含む請求項１〜４のいずれかに記載のシート。
【請求項６】
前記連結部の片面に接着剤および粘着剤のいずれかが塗布されている請求項１〜５にいずれかに記載のシート。
【請求項７】
前記連結部を使い捨ておむつ、失禁患者用おむつ、吸尿パッドいずれかの体液吸収性着用物品の内面に取り付けて前記体液吸収性着用物品とともに請求項１〜６のいずれかに記載の尿誘導シートを使用することを特徴とする前記尿誘導シートの使用方法。
【発明の詳細な説明】
【０００１】
【発明の属する技術分野】
この発明は、使い捨ておむつや吸尿パッド等の体液吸収性着用物品と併用し、尿が排泄された直後に、尿の流れを着用物品の下方へ向かって誘導することができるシートに関する。
【０００２】
【従来の技術】
従来、使い捨ておむつの吸収体に尿の流れをおむつの上方から下方へ向かって誘導することができる圧搾溝を形成することは、例えば特許文献１によって公知である。かかる溝は、尿等の体液がおむつの側方へ流れて漏れるという問題を解消する。
【０００３】
【特許文献１】実開平６−４８６３８号公報
【０００４】
【発明が解決しようとする課題】
このような圧搾溝は、使い捨ておむつに予め形成されているものであって、当然のことながら、圧搾溝がないおむつを購入した場合には、圧搾溝による効果を利用することができない。
【０００５】
この発明が課題とするのは、圧搾溝によらなくても体液吸収性着用物品における尿の流れを誘導できる簡易な手段の提供である。
【０００６】
【課題を解決するための手段】
前記課題を解決するためのこの発明は、物に係る発明と、その物の使用方法に係る発明とからなる。
【０００７】
前記物に係る発明において、この発明が特徴とするところは、互いに平行して上下方向ヘ延びる複数条の帯片からなる尿誘導部と、複数条の前記帯片の上端部どうしをつなぐシート状の連結部とからなり、前記帯片を濡らす尿を前記帯片の前記上端部からその反対端部である下端部へ向かう方向ヘ流れるように誘導することができる尿誘導シートにある。
【０００８】
かかる発明には、次のような好ましい実施態様がある。
（１）前記帯片が該帯片の幅方向よりも前記上端部から下端部へ向かう長さ方向ヘ前記尿を容易に拡散できるものである。
（２）前記帯片が繊維の集合体であって、その繊維が前記上下方向ヘ配向している。
（３）前記帯片が疎水性の繊維で形成されている。
（４）前記帯片が前記疎水性の繊維と親水性の繊維とを含む。
（５）前記連結部の片面に接着剤および粘着剤のいずれかが塗布されている。
【０００９】
また、前記使用方法に係る発明において、この発明が特徴とするところは、前記連結部を使い捨ておむつ、失禁患者用おむつ、吸尿パッドいずれかの体液吸収性着用物品の内面に取り付けて前記体液吸収性着用物品とともに請求項１〜６のいずれかに記載の尿誘導シートを使用する前記尿誘導シートの使用方法にある。
【００１０】
【発明の実施の形態】
添付の図面を参照し、この発明に係る尿誘導シートとその使用方法との詳細を説明すると、以下のとおりである。
【００１１】
図１に斜視図で示された尿誘導シート１は、図において斜めに上方から下方へ互いに並行して延びる複数条の帯片２からなる尿誘導部３と、各帯片２の上端部４どうしをつないで横方向へ延びる連結部６とを有する。
【００１２】
好ましい帯片２は、３〜３０ｍｍの幅と、５０〜４００ｍｍの長さとを有し、不織布、織布、フィルム、紙等のシート材料によって形成される。このシート材料が不織布または織布である場合には、それらを形成する繊維に疎水性のもの、親水性のもの、疎水性のものと親水性のものとの混合物を使用することができる。繊維はまた、帯片２の長さ方向へ配向していることが好ましい。
【００１３】
連結部６は、帯片２と同様に不織布や織布、フィルム、紙等のシート材料によって形成され、帯片２の上端部４が接着、溶着、縫合等の手段によって固定されている。図示例の連結部６は、内面シート１１と、その裏側に位置する外面シート１２とを有し、内面シート１１には粘着剤１３が塗布されている。図において、連結部６の内外面シート１１，１２に固定されている複数条の帯片２は、幅方向において互いに隣り合い、厚さ方向において２〜３枚が重なり合っている。
【００１４】
図２は、着用状態にある尿誘導シート１を示す。尿誘導シート１は、内面シート１１がそれに塗布された粘着剤１３を介して着用者１０の腹部の肌に張り付けられている。帯片２は、着用者１０の腹部から下方へ延びて股部で幅が狭くなるように集合して尿道口（図示せず）を覆っている。尿誘導シート１の外側には、体液吸収性の芯材１６と、それを挟む透液性内面シート１７と不透液性外面シート１８とからなる慣用の吸尿パッド１９が当てがわれている。かかる吸尿パッド１９の外側には、このパッド１９を着用者１０の股部に密着させておくための、仮想線で示すブリーフ２１が着用されている。このように尿誘導シート１が使用されると、排泄された尿が、尿道口の前方に位置する帯片２に当ってこの帯片２を濡らし、その尿がシート１に導かれて帯片２の下端部５へ向かって、換言すると吸尿パッド１９の股下域へ向かって流れ、吸尿パッド１９の幅方向へ流れることがない。それゆえ、尿誘導シート１を使用すると、吸尿パッド１９における尿の横漏れを防ぐことができる。
【００１５】
図３は、尿誘導シート１の使用例を示す吸尿パッド１９の部分破断斜視図である。吸尿パッド１９は、図２のそれと同様に透液性内面シート１７と、不透液性の外面シート１８と、これら両シート１７，１８間に介在する体液吸収性の芯材１６をと有し、内面シート１７の上面１７ａには、尿誘導シート１の連結部６が接着、粘着、溶着等の接合手段によって取り付けられている。尿誘導シート１は、連結部６が吸尿パッド１９における両端部２６の一方の近傍に位置し、帯片２が両端部２６間に長く延びている。かような吸尿パッド１９を使用すれば、尿誘導シート１を図２の如く着用者の肌に貼り付ける必要がない。図の吸尿パッド１９は、パッド着用者が慣用の吸尿パッドと図１の尿誘導シート１とを入手すれば、自分で作ることができる。図示例の尿誘導シート１は、帯片２と連結部６とが同じシート材料で作られており、複数条の帯片２が幅方向へ並んでいる。
【００１６】
この発明において、吸尿パッド１９を対象にして説明した尿誘導シート１は、使い捨ておむつとともに使用することができる。誘導シート１において、帯片２は、その幅方向よりも長さ方向ヘ尿を速やかに拡散できるものであることが好ましい。そのような帯片２は、帯片２を形成する繊維を帯片２の長さ方向へ配向させることによって得ることができる。繊維は、それが疎水性のものであって帯片２の長さ方向ヘ配向していると、帯片２の尿の流れを帯片２の下端部５へ向かって導くことが容易になる。かような帯片２は、それが延びる方向を様々に変えることができるから、尿の流れを導くために体液吸収性の芯材に形成される圧搾溝と異なり、尿の流れを導く方向が比較的自由に変えられる。
【００１７】
【発明の効果】
この発明に係る尿誘導シートは、それを肌に張り付けたり、吸尿パッドや使い捨ておむつの内面に貼りつけたりすることで、尿の流れを尿誘導シートの帯片が延びる方向ヘ導くことができるから、この誘導シートを使用すると使い捨ておむつ等における尿の横漏れを簡単に防ぐことができ、体液吸収性の芯材に圧搾溝を形成する必要がなくなる。
【図面の簡単な説明】
【図１】尿誘導シートの斜視図。
【図２】尿誘導シートの使用状態を示す図。
【図３】尿誘導シートの使用状態を示す図２とは異なる図。
【符号の説明】
１　　　尿誘導シート
２　　　帯片
３　　　尿誘導部
４　　　上端部
５　　　下端部
６　　　連結部
【図１】
2004121392.tif 000003
【図２】
2004121392.tif 000004
【図３】
2004121392.tif 000005